(57)【要約】【課題】客自身に操作されることにより代金決済などの取引を実行する場合、次の客の購入商品の取引を円滑に実行することができる会計装置及びＰＯＳシステムを提供する。【解決手段】会計装置は、一取引の完了を宣言するための操作がなされたか否かを判定する判定手段と、操作が所定時間内になされていないと判定手段により判定され、且つ、実行中の取引を強制終了させることが可能である場合、実行中の取引を強制終了させ、新たな取引を実行する制御手段と、を備える。【選択図】図１
2014106771.tif 000002
【特許請求の範囲】
【請求項１】
一取引の完了を宣言するための操作がなされたか否かを判定する判定手段と、
前記操作が所定時間内になされていないと前記判定手段により判定され、且つ、前記実行中の取引を強制終了させることが可能である場合、前記実行中の取引を強制終了させ、新たな取引を実行する制御手段と、
を備えることを特徴とする会計装置。
【請求項２】
前記取引における代金の釣銭及び釣札の少なくとも一方を払い出す釣銭釣札機
を備え、
前記判定手段が、前記操作が所定時間内になされていないと判定した場合、前記代金の釣銭及び釣札の少なくとも一方を前記釣銭釣札機から払い出す必要があるか否かを判定し、
前記制御手段は、前記代金の釣銭及び釣札の少なくとも一方を前記釣銭釣札機から払い出す必要がある場合、前記釣銭及び釣札の少なくとも一方を払い出すための情報を含む取引情報を、記憶手段に記憶させることを特徴とする請求項１に記載の会計装置。
【請求項３】
クレジット決済の控えを発行する発行手段
を備え、
前記制御手段は、前記操作が前記所定時間内になされた場合、前記クレジット決済の控えを前記発行手段から発行させることを特徴とする請求項１又は請求項２に記載の会計装置。
【請求項４】
前記実行中の取引を強制終了させる旨を報知する報知手段
を備え、
前記制御手段は、前記実行中の取引を強制終了させる旨を、前記報知手段から報知させることを特徴とする請求項１から請求項３のいずれか一項に記載の会計装置。
【請求項５】
客の購入商品に付されたコード情報に基づいて、前記購入商品を登録する商品登録手段と、
請求項１から請求項４のいずれか一項に記載の会計装置と、
を備えるＰＯＳシステム。
【発明の詳細な説明】
【技術分野】
【０００１】
本発明は、会計装置及びＰＯＳシステムに関する。
【背景技術】
【０００２】
現金決済又はクレジット決済などの代金決済を特定するコマンドを外部装置から受信した場合、そのコマンドに基づいて代金決済を実行し、会計レシートを発行するレシート発行装置（会計装置）が、特許文献１に開示されている。
【先行技術文献】
【特許文献】
【０００３】
【特許文献１】特開２０１０−４４６７５号公報
【発明の概要】
【発明が解決しようとする課題】
【０００４】
ところで、客自身に操作されることにより購入商品の代金決済を実行する会計装置は、現金決済のための現金が投入された場合、又は、クレジット決済が完了した場合、客による所定の操作によりレシートを発行して一連の代金決済処理を完了させ、次の客の購入商品の代金決済のための初期画面を表示する。
【０００５】
しかしながら、レシートが不要であるなどの理由により、前記所定の操作をせずに退店する客も存在する。前記所定の操作をせずに客が退店した場合、その客に対するレシート発行までの一連の代金決済処理が完了していないので、代金決済を行うための初期画面は、まだ表示されていない。このため、会計装置は、次に代金決済を行う他の客が、自身の購入商品の代金決済を開始することができない、という問題がある。また、会計装置は、当該他の客が、前記所定の操作をせずに退店した客に払い出される釣銭を受け取ってしまう可能性がある、という問題がある。また、会計装置は、当該他の客が、前記所定の操作をせずに退店した客に対して発行されるクレジット決済の控えを受け取ってしまう可能性がある、という問題がある。
【０００６】
本発明は、前記の諸点に鑑みてなされたものであり、客自身に操作されることにより代金決済などの取引を実行する場合、次の客の購入商品の取引を円滑に実行することができる会計装置及びＰＯＳシステムを提供することを目的とする。
【課題を解決するための手段】
【０００７】
本発明の一態様は、一取引の完了を宣言するための操作がなされたか否かを判定する判定手段と、前記操作が所定時間内になされていないと前記判定手段により判定され、且つ、前記実行中の取引を強制終了させることが可能である場合、前記実行中の取引を強制終了させ、新たな取引を実行する制御手段と、を備えることを特徴とする会計装置である。
【０００８】
この構成により、制御手段は、前記操作が所定時間内になされていないと前記判定手段により判定され、且つ、前記実行中の取引を強制終了させることが可能である場合、前記実行中の取引を強制終了させ、新たな取引を実行する。これにより、会計装置は、客自身に操作されることにより代金決済などの取引を実行する場合、次の客の購入商品の取引を円滑に実行することができる。また、会計装置は、前記所定の操作をせずに退店した客に払い出される釣銭を他の客が受け取ってしまうことを防ぐことができる。また、客自身は、店員を呼び出す必要がない。
【０００９】
また、本発明の一態様は、前記取引における代金の釣銭及び釣札の少なくとも一方を払い出す釣銭釣札機を備え、前記判定手段が、前記操作が所定時間内になされていないと判定した場合、前記代金の釣銭及び釣札の少なくとも一方を前記釣銭釣札機から払い出す必要があるか否かを判定し、前記制御手段が、前記代金の釣銭及び釣札の少なくとも一方を前記釣銭釣札機から払い出す必要がある場合、前記釣銭及び釣札の少なくとも一方を払い出すための情報を含む取引情報を、記憶手段に記憶させることを特徴とする会計装置である。
【００１０】
この構成により、制御手段は、前記代金の釣銭及び釣札の少なくとも一方を前記釣銭釣札機から払い出す必要がある場合、前記釣銭及び釣札の少なくとも一方を払い出すための情報を含む取引情報を、記憶手段に記憶させる。これにより、会計装置は、客自身に操作されることにより代金決済などの取引を実行する場合、次の客の購入商品の取引を円滑に実行することができる。また、店員は、払い出すべき釣銭及び釣札を、当該釣銭及び釣札を手渡されるべき客に、記憶手段に記憶されている取引情報に基づいて、後で手渡すことができる。
【００１１】
また、本発明の一態様は、クレジット決済の控えを発行する発行手段を備え、前記制御手段が、前記操作が前記所定時間内になされた場合、前記クレジット決済の控えを前記発行手段から発行させることを特徴とする会計装置である。
これにより、完了ボタンを操作せずに退店した客に対して発行されるクレジット決済の控えを、他の客が受け取ってしまうことを防ぐことができる。
【００１２】
また、本発明の一態様は、前記実行中の取引を強制終了させる旨を報知する報知手段を備え、前記制御手段が、前記実行中の取引を強制終了させる旨を、前記報知手段から報知させることを特徴とする会計装置である。
これにより、報知により呼び出された店員は、客への対応を速やかに行うことができる。
【００１３】
また、本発明の一態様は、客の購入商品に付されたコード情報に基づいて、前記購入商品を登録する商品登録手段と、会計装置と、を備えるＰＯＳシステムである。
【００１４】
これにより、ＰＯＳシステムは、客自身に操作されることにより代金決済などの取引を実行する場合、次の客の購入商品の取引を円滑に実行することができる。また、ＰＯＳシステムは、完了ボタンを操作せずに退店した客に払い出される釣銭を他の客が受け取ってしまうことを防ぐことができる。
【発明の効果】
【００１５】
本発明によれば、制御手段は、実行中の取引を強制終了させることが可能であると判定された場合、実行中の取引を強制終了させ、新たな取引を実行する。これにより、会計装置及びＰＯＳシステムは、客自身に操作されることにより代金決済などの取引を実行する場合、次の客の購入商品の取引を円滑に実行することができる。
【図面の簡単な説明】
【００１６】
【図１】本発明の一実施形態における、ＰＯＳシステムにおける会計処置の流れを示すイメージ図である。
【図２】本発明の一実施形態における、ＰＯＳシステムの構成例を示すブロック図である。
【図３】本発明の一実施形態における、印刷用ＰＯＳレジスタの構成例を示すブロック図である。
【図４】本発明の一実施形態における、会計用ＰＯＳレジスタの外観例を示す図である。
【図５】本発明の一実施形態における、会計用ＰＯＳレジスタの構成例を示すブロック図である。
【図６】本発明の一実施形態における、代金決済の初期画面の例を示す図である。
【図７】本発明の一実施形態における、代金決済の完了画面の例を示す図である。
【図８】本発明の一実施形態における、会計用ＰＯＳレジスタにおける動作を示すフローチャートである。
【発明を実施するための形態】
【００１７】
以下、図面を参照しながら本発明の実施形態について詳しく説明する。図１は、ＰＯＳシステムにおける会計処置の流れを示すイメージ図である。まず、印刷用ＰＯＳレジスタ２０（商品登録装置）は、客が購入する商品に付されたバーコードを、店員の操作によりスキャンして商品登録する。
【００１８】
客が購入する全ての商品のバーコードについて商品登録が完了した場合、印刷用ＰＯＳレジスタ２０は、精算用レシート４０（印刷媒体）に精算用コードを印刷し、精算用コードが印刷された精算用レシート４０を発行する。ここで、精算用コードは、客が購入する全ての商品の買上金額を精算（代金決済）する際に読み取られるコードであって、客が購入する商品を示す取引データを特定するためのコードである。
【００１９】
精算用レシート４０を受け取った客は、精算用レシート４０に印刷された精算用コードを、会計用ＰＯＳレジスタ３０（会計装置）が備えるスキャナ部に読み取らせる。また、その客は、会計用ＰＯＳレジスタ３０の表示部に表示された操作ボタンを操作し、購入商品の代金を支払うことで代金決済を行う。
【００２０】
次に、ＰＯＳシステムの構成例について説明する。
図２は、ＰＯＳシステムの構成例を示すブロック図である。ＰＯＳシステムは、ストアコントローラ１０と、Ｎ台（Ｎは、１以上の整数）の印刷用ＰＯＳレジスタ２０と、Ｍ台（Ｍは、１以上の整数）の会計用ＰＯＳレジスタ３０とを備える。
【００２１】
ストアコントローラ１０は、ＰＯＳシステムを制御するコンピュータであり、商品マスタなどの種々の情報を管理する。ストアコントローラ１０は、各印刷用ＰＯＳレジスタ２０及び各会計用ＰＯＳレジスタ３０に、最新の商品マスタを適宜送信する。ここで、商品マスタとは、各商品の商品識別情報、商品名称、及び販売価格などの商品情報を格納したファイルであって、適宜更新されるファイルである。
【００２２】
また、ストアコントローラ１０は、客の取引データと、当該取引データを識別するための識別情報とを、印刷用ＰＯＳレジスタ２０から受信し、受信した取引データと、識別情報とを対応付けて記憶する。ここで、取引データとは、客の買上内容等、客との取引に関するデータである。また、ストアコントローラ１０は、取引データの識別情報を会計用ＰＯＳレジスタ３０から受信し、受信した識別情報に対応する取引データを、会計用ＰＯＳレジスタ３０に返信する。
【００２３】
印刷用ＰＯＳレジスタ２０には、客が購入する商品に付されたバーコード（コード情報）を店員の操作により読み取るためのスキャナ部が接続されている。印刷用ＰＯＳレジスタ２０は、客が購入する商品に付されたバーコードに基づいて、客が購入する商品の全ての買上内容（取引データ）を精算用コード（例えば、２次元コード）に変換し、変換した精算用コードを精算用レシート４０に印刷する。
【００２４】
印刷用ＰＯＳレジスタ２０は、客が購入する商品の全ての買上内容を示す情報（取引データ）と、当該取引データの識別情報とを、ストアコントローラ１０に送信してもよい。この場合、印刷用ＰＯＳレジスタ２０は、取引データの識別情報を示すバーコードを、精算用レシート４０に印刷する。
【００２５】
例えば、客は、代金決済処理を実行させる会計用ＰＯＳレジスタ３０を、印刷用ＰＯＳレジスタ２０を介して指定してもよい。客は、指定した会計用ＰＯＳレジスタ３０に対して、取引データを印刷用ＰＯＳレジスタ２０から送信させ、当該指定した会計用ＰＯＳレジスタ３０を操作することにより代金決済してもよい。
【００２６】
会計用ＰＯＳレジスタ３０には、精算用レシート４０に印刷された精算用コードを読み取るためのスキャナ部が接続されている。会計用ＰＯＳレジスタ３０は、客自身に操作され、精算用レシート４０に印刷された精算用コードに基づいて、代金決済処理を実行する。すなわち、会計用ＰＯＳレジスタ３０は、客の操作により、精算用レシート４０に印刷された精算用コードをスキャナで読み取り、さらに、操作ボタンを介した操作入力に応じて、代金決済（商品の買上金額の精算）処理を実行する。
【００２７】
図３は、印刷用ＰＯＳレジスタの構成例を示すブロック図である。印刷用ＰＯＳレジスタ２０は、ＣＰＵ（Ｃｅｎｔｒａｌ  Ｐｒｏｃｅｓｓｉｎｇ  Ｕｎｉｔ）２０１と、ＲＯＭ２０２と、ＲＡＭ２０３と、スキャナ部２０４と、表示部（店員用）２０５と、表示部（客用）２０５ａと、操作部２０６と、通信部２０７と、ブザー２０８と、レシート印刷手段２０９と、ハードディスク２１０とを備える。これらは、バスを介して相互に通信可能である。
【００２８】
ＲＯＭ２０２は、読み出し専用メモリであり、プログラムを予め記憶する。
ＣＰＵ２０１は、中央演算処理装置であり、ＲＯＭ２０２に記憶されているプログラムを読み出して実行することにより、印刷用ＰＯＳレジスタ２０の動作を制御する。
【００２９】
スキャナ部２０４は、商品に付されているバーコード（商品コード）を光学的に読み取る。
ＲＡＭ２０３は、随時読み出し書き込みメモリであり、種々の情報を記憶する。例えば、ＲＡＭ２０３は、スキャナ部２０４によって読み取られたバーコードに基づく商品情報などを記憶する。また、例えば、ＲＡＭ２０３は、操作ボタンが操作された履歴を記憶してもよい。
【００３０】
表示部（店員用）２０５及び表示部（客用）２０５ａは、種々の情報を表示する。例えば、表示部（店員用）２０５及び表示部（客用）２０５ａは、商品マスタから取得した情報（例えば、商品の名称、価格等）を表示する。また、表示部（店員用）２０５は、タッチパネル（例えば、液晶タッチパネル）であり、店員に対する種々の情報を表示する。さらに、表示部（店員用）２０５は、画面内の領域に表示された操作ボタン（プリセットボタン）が操作されることにより、予め設定登録された商品情報（商品コード等）について、操作入力を受け付ける。
【００３１】
操作部２０６は、印刷用ＰＯＳレジスタ２０を動作させるための各種の操作ボタン（分割ボタン、小計キー、現計キー、置数キー、訂正キー、品券キー及びプリセットキー等）を備える。例えば、操作部２０６は、分割ボタンが操作されることにより、商品の分割登録についての操作入力を受け付ける。分割ボタンは、登録された商品を複数のグループに分割する分割手段である。また、操作部２０６は、操作ボタン（プリセットキー）が操作されることにより、そのプリセットキーに予め設定登録されている商品情報（商品コード等）について、操作入力を受け付ける。
【００３２】
通信部２０７は、ＬＡＮ１１を介して、他の装置と通信する。なお、例えば、ＣＤ−ＲＯＭなどの記憶媒体を介してＲＡＭ２０３に最新の商品マスタを記憶させるなどすれば、通信部２０７は、ストアコントローラ１０に必ずしも接続されていなくてよい。
ブザー２０８は、店員が操作を確認することが必要な場合などに、ブザー音を発生させる。
【００３３】
レシート印刷手段２０９は、精算用コードを精算用レシート４０に印刷する。
ハードディスク２１０は、精算用コードが精算用レシート４０に印刷された場合、ＲＡＭ２０３が一時的に記憶する客の買上内容及び順番情報を記憶する。
【００３４】
図４は、会計用ＰＯＳレジスタの外観例を示す図である。また、図５は、会計用ＰＯＳレジスタの構成例を示すブロック図である。
会計用ＰＯＳレジスタ３０は、ＣＰＵ３０１と、ＲＯＭ３０２と、ＲＡＭ３０３と、スキャナ部３０４と、表示部３０５と、操作部３０６と、通信部３０７と、ブザー３０８と、印刷部３０９と、決済端末３１０〜３１２と、サインポール３１３とを備える。これらは、バスを介して相互に通信可能である。
【００３５】
スキャナ部３０４は、印刷用ＰＯＳレジスタ２０により精算用レシート４０に印刷された精算用コード（２次元コード又はバーコード）、又は、商品に付されているバーコード（商品コード）を、光学的に読み取る。
【００３６】
ＲＡＭ３０３（記憶手段）は、種々の情報を記憶する、随時読み出し書き込みメモリである。例えば、ＲＡＭ３０３は、ヘッダ部分に印刷するための複数のレシートヘッダ情報を、印刷する内容それぞれに対応付けて記憶する。また、ＲＡＭ３０３は、ストアコントローラ１０から取得した商品マスタ、及びスキャナ部３０４によって読み取られた精算用コードによって特定される取引データなどを記憶する。
【００３７】
決済端末３１０（釣銭釣札機）は、会計（商品の買上金額の精算）において、現金により代金決済などの取引を実行し、該取引を実行した結果（例えば、代金決済が完了可能であるか否かを示す情報）を、バスを介してＣＰＵ３０１に出力する。また、決済端末３１０は、ＣＰＵ３０１による制御に応じて、代金の釣銭及び釣札の少なくとも一方を払い出す。
【００３８】
決済端末３１１は、会計において、クレジットにより代金決済を実行し、代金決済を実行した結果を、ポート及びバスを介してＣＰＵ３０１に出力する。
決済端末３１２は、会計において、電子マネーにより代金決済を実行し、代金決済を実行した結果を、バスを介してＣＰＵ３０１に出力する。
【００３９】
ＲＯＭ３０２は、プログラムを記憶している読み出し専用メモリである。
ＣＰＵ３０１は、中央演算処理装置であり、ＲＯＭ３０２に記憶されているプログラムを読み出して実行することにより、会計用ＰＯＳレジスタ３０の動作を制御する。
【００４０】
ＣＰＵ３０１は、代金決済などの取引の完了を宣言するための操作がなされたか否かを判定する。ここで、取引の完了を宣言するための操作とは、例えば、表示部３０５に表示された完了ボタン（図７を用いて後述する）に対する押下操作である。
【００４１】
ＣＰＵ３０１は、現金による代金決済などの取引の完了を宣言するための操作が所定時間内になされない場合、実行中の取引を強制終了させることが可能か否かを判定する。ここで、所定時間内とは、取引が完了可能となった時（例えば、投入された現金の合計金額が、支払い金額よりも多くなった時）から、例えば、４０［秒］以内である。
【００４２】
例えば、ＣＰＵ３０１は、現金による代金決済などの取引の完了を宣言するための操作が前記所定時間内になされない場合、且つ、実行中の取引を強制終了させることが可能である場合、実行中の取引を強制終了させ、新たな取引（例えば、代金決済の初期画面を表示させる処理）を実行する。
【００４３】
一方、ＣＰＵ３０１は、現金による代金決済などの取引の完了を宣言するための操作が前記所定時間内になされない場合、且つ、代金の釣銭及び釣札の少なくとも一方を払い出す必要がある場合、実行中の取引を強制終了させることが可能でないと判定する。この場合、ＣＰＵ３０１は、釣銭及び釣札の少なくとも一方を払い出す必要がある旨を、店員に対して報知手段から報知させる。また、ＣＰＵ３０１は、「しばらく、お待ちください」等の案内文を表示部３０５に表示させると共に、店員を呼び出すための報知を報知手段に実行させる。ここで、報知手段とは、例えば、発光部を点灯又は点滅させるサインポール３１３、アテンダント端末（不図示）若しくは印刷用ＰＯＳレジスタ２０の表示部２０５にアラートを表示させるＣＰＵ３０１及び通信部３０７、又は、店員が携帯する携帯端末（不図示）に報知するＣＰＵ３０１及び通信部３０７である。
【００４４】
これら報知手段による報知により、店員は、実行中の取引を強制終了させることが可能でないと判定した会計用ＰＯＳレジスタ３０の設置場所まで行き、従業員カード（例えば、バーコード、ＲＦＩＤ）をスキャナ部３０４にかざし、所定のパスワードを操作部３０６から操作入力することにより、実行中の取引を強制終了させる。
【００４５】
また、ＣＰＵ３０１は、取引を強制終了させても釣銭及び釣札を払い出さずに、その払い出す合計金額（お釣り）を、取引番号、取引日時、及び取引明細情報に対応付けて、ＲＡＭ３０２に記憶させる。また、ＣＰＵ３０１は、ＲＡＭ３０２に記憶させた情報を、店員による後からの指示に基づいて、レシートに印刷して発行してもよい。
また、ＣＰＵ３０１は、完了ボタン（図７を用いて後述する）を押下しなかった客が次回来店した際にその客を識別できるように、客を撮像した画像データ等を、取引番号、取引日時、及び取引明細情報に対応付けて、ＲＡＭ３０２に記憶させてもよい。
【００４６】
また、ＣＰＵ３０１は、完了ボタンを押下しなかった客が、会員カードの会員番号をスキャナ部３０４に読み取らせていた場合、その客の会員番号を取引番号、取引日時、及び取引明細情報に対応付けて、ＲＡＭ３０２に記憶させてもよい。
また、ＣＰＵ３０１は、釣銭及び釣札の合計金額に応じたポイント数を、釣銭及び釣札の合計金額に応じた額面の金券又は割引券を発行するための情報として、取引日時、及び取引明細情報に対応付けて、ＲＡＭ３０２に記憶させてもよい。
【００４７】
ＣＰＵ３０１は、クレジットによる代金決済などの取引の完了を宣言するための操作が前記所定時間内になされた場合、クレジット決済の控えを印刷部３０９から発行させる。
【００４８】
操作部３０６は、会計用ＰＯＳレジスタ３０を動作させるための各種の操作ボタン（訂正キー及びプリセットキー等）を備える。例えば、操作部３０６は、操作ボタン（訂正キー）が操作されることにより、操作入力の訂正を受け付ける。
通信部３０７は、ＬＡＮ１１を介して、他の装置と通信する。通信部３０７は、例えば、最新の商品マスタをストアコントローラ１０から取得する。
【００４９】
ブザー３０８は、エラー等が発生した場合、エラーを報知するブザー音を発生させる。
印刷部３０９は、代金決済（商品の買上金額の精算）などの取引の完了を宣言するための操作がされた場合、客が持ち帰る会計済みレシートを印刷して発行する。また、印刷部３０９は、クレジットによる代金決済などの取引が実行された場合、クレジット決済の控えを印刷して発行してもよい。
【００５０】
サインポール３１３は、釣銭及び釣札の少なくとも一方を払い出す必要がある旨を、ＣＰＵ３０１による制御に基づいて発光部が点灯又は点滅することにより報知する。また、サインポール３１３は、実行中の取引を強制終了させる旨を、ＣＰＵ３０１による制御に基づいて発光部が点灯又は点滅することにより報知する。また、サインポール３１３は、会計用ＰＯＳレジスタ３０が操作可能である旨を、ＣＰＵ３０１による制御に基づいて発光部が点灯又は点滅することにより報知してもよい。
【００５１】
表示部３０５は、ＣＰＵ３０１による制御に基づいて、種々の情報を画面に表示する。また、表示部３０５は、画面に表示した操作ボタンに対する操作入力に応じて、その操作入力に応じた信号を、ＣＰＵ３０１に出力する。
【００５２】
図６は、代金決済の初期画面の例を示す図である。ＣＰＵ３０１は、代金決済が実行可能である場合、代金決済の初期画面を表示部３０５に表示させる。代金決済の初期画面には、例えば、現金の投入を客に促すためのメッセージと、支払い金額と、預り金額とが表示される。客は、購入商品の代金決済を、代金決済の初期画面を見ながら進める。
【００５３】
図７は、代金決済の完了画面の例を示す図である。ＣＰＵ３０１は、代金決済が実行され、その代金決済が完了可能である場合、次の取引のための代金決済の初期画面を、表示部３０５に表示させる。ＣＰＵ３０１は、例えば、預り金額が支払い金額以上である場合、代金決済が完了可能であると判定する。
【００５４】
代金決済の完了画面には、例えば、購入商品の代金決済の完了を宣言させるためのメッセージと、支払い金額と、預り金額と、代金決済の完了を宣言するための操作ボタンとしての完了ボタン（おわりボタン）と、レシートを発行させるための操作ボタンとしての領収書ボタンとが表示される。客は、代金決済の完了画面を操作（完了ボタンを押下操作）することにより、購入商品の代金決済の完了を宣言する。
【００５５】
次に、会計装置の動作手順の例を説明する。
図８は、会計用ＰＯＳレジスタ（会計装置）の動作手順の例を示すフローチャートである。
（ステップＳ１）会計用ＰＯＳレジスタ３０のＣＰＵ３０１（図５を参照）は、印字用ＰＯＳレジスタ２０により登録された商品を示す情報（取引データ）を、通信部３０７（図５を参照）を介して、ストアコントローラ１０から読み出す。
（ステップＳ２）ＣＰＵ３０１は、登録された商品の代金決済を実行する。
【００５６】
（ステップＳ３）ＣＰＵ３０１は、代金決済が完了可能であるか否か（例えば、預り金額が、支払い金額以上であるか否か）を判定する。代金決済が完了可能でない場合（ステップＳ３：Ｎｏ）、ＣＰＵ３０１は、ステップＳ２に処理を戻す。一方、代金決済が完了可能でない場合（ステップＳ３：Ｙｅｓ）、ＣＰＵ３０１は、ステップＳ４に処理を進める。
【００５７】
（ステップＳ４）ＣＰＵ３０１は、実行中の代金決済の完了画面を、表示部３０５に表示させる。
（ステップＳ５）ＣＰＵ３０１は、表示部３０５に表示された完了ボタン（おわりボタン）が押下されたか否か、すなわち、代金決済の完了を宣言するための操作がなされたか否かを判定する。
【００５８】
（ステップＳ６）ＣＰＵ３０１は、釣銭等の払い出しが必要であるか否かを判定する。釣銭等の払い出しが必要である場合（ステップＳ６：Ｙｅｓ）、ＣＰＵ３０１は、ステップＳ７に処理を進める。一方、釣銭等の払い出しが必要でない場合（ステップＳ６：Ｎｏ）、ＣＰＵ３０１は、ステップＳ８に処理を進める。
【００５９】
（ステップＳ７）ＣＰＵ３０１は、釣銭等を決済端末３１０から払い出させる。
（ステップＳ８）ＣＰＵ３０１は、レシートを印刷部３０９から発行させる。
（ステップＳ９）ＣＰＵ３０１は、代金決済の初期画面を、表示部３０５に表示させる。
【００６０】
（ステップＳ１０）ＣＰＵ３０１は、代金決済の完了を宣言するための操作が所定時間内（例えば、代金決済が完了可能となってから４０秒以内）にされたか否かを判定する。代金決済の完了を宣言するための操作が所定時間内になされた場合（ステップＳ１０：Ｙｅｓ）、ＣＰＵ３０１は、ステップＳ５に処理を戻す。一方、代金決済の完了を宣言するための操作が所定時間内になされていない場合（ステップＳ１０：Ｎｏ）、ＣＰＵ３０１は、ステップＳ１１に処理を進める。
【００６１】
（ステップＳ１１）ＣＰＵ３０１は、客が購入する商品を示す取引データを、ＲＡＭ３０３に記憶させる。ここで、ＣＰＵ３０１は、通信部３０７を介して、ストアコントローラ１０（図２を参照）に取引データを記憶させてもよい。ＣＰＵ３０１は、実行中の代金決済処理を強制終了させることが可能である場合、ステップＳ９に処理を進める。なお、ＣＰＵ３０１は、実行中の代金決済処理を強制終了させることが可能でない場合、その旨を報知させてもよい。
【００６２】
以上のように、会計用ＰＯＳレジスタ３０は、一取引の完了を宣言するための操作がなされたか否かを判定する判定手段としてのＣＰＵ３０１と、前記操作が所定時間内になされていないと判定手段としてのＣＰＵ３０１により判定され、且つ、前記実行中の取引を強制終了させることが可能である場合、前記実行中の取引を強制終了させ、新たな取引を実行する制御手段としてのＣＰＵ３０１と、を備える。
【００６３】
この構成により、ＣＰＵ３０１は、前記実行中の取引を強制終了させることが可能である場合、前記実行中の取引を強制終了させ、新たな取引を実行する。これにより、会計用ＰＯＳレジスタ３０は、客自身に操作されることにより代金決済などの取引を実行する場合、次の客の購入商品の取引を円滑に実行することができる。また、会計用ＰＯＳレジスタ３０は、前記所定の操作（例えば、完了ボタンの押下操作）をせずに退店した客に払い出される釣銭を他の客が受け取ってしまうことを防ぐことができる。また、客自身は、店員を呼び出す必要がない。
【００６４】
また、会計用ＰＯＳレジスタ３０は、前記取引における代金の釣銭及び釣札の少なくとも一方を払い出す決済端末３１０を備え、前記判定手段としてのＣＰＵ３０１が、前記操作が所定時間内になされていないと判定した場合、前記代金の釣銭及び釣札の少なくとも一方を決済端末３１０から払い出す必要があるか否かを判定し、前記制御手段としてのＣＰＵ３０１が、前記代金の釣銭及び釣札の少なくとも一方を前記釣銭釣札機から払い出す必要がある場合、前記釣銭及び釣札の少なくとも一方を払い出すための情報を含む取引情報を、ＲＡＭ３０３に記憶させてもよい。
【００６５】
この構成により、前記制御手段としてのＣＰＵ３０１は、前記第２判定手段としてのＣＰＵ３０１により、前記実行中の代金決済処理を強制終了させることが可能でないと判定された場合、前記釣銭及び釣札の少なくとも一方を払い出すための情報を含む取引情報を、ＲＡＭ３０３に記憶させる。これにより、会計用ＰＯＳレジスタ３０は、客自身に操作されることにより代金決済を実行する場合、次の客の購入商品の代金決済を円滑に実行することができる。また、店員は、払い出すべき釣銭及び釣札を、当該釣銭及び釣札を手渡されるべき客に、ＲＡＭ３０３に記憶されている取引情報に基づいて、後で手渡すことができる。
【００６６】
また、会計用ＰＯＳレジスタ３０は、クレジット決済の控えを発行する決済端末３１１を備え、ＣＰＵ３０１が、前記操作が前記所定時間内になされた場合、前記クレジット決済の控えを決済端末３１１から発行させてもよい。
これにより、会計用ＰＯＳレジスタ３０は、完了ボタンを操作せずに退店した客に対して発行されるクレジット決済の控えを他の客が受け取ってしまうことを、防ぐことができる。
【００６７】
また、会計用ＰＯＳレジスタ３０は、実行中の取引を強制終了させる旨を報知するサインポール３１３を備え、ＣＰＵ３０１が、前記実行中の取引を強制終了させる旨を、サインポール３１３から報知させてもよい。
これにより、報知により呼び出された店員は、客への対応を速やかに行うことができる。
【００６８】
また、ＰＯＳシステムは、客の購入商品に付されたコード情報に基づいて、前記購入商品を登録する印字用ＰＯＳレジスタ２０と、会計用ＰＯＳレジスタ３０と、を備えるＰＯＳシステムである。
【００６９】
これにより、ＰＯＳシステムは、客自身に操作されることにより代金決済などの取引を実行する場合、次の客の購入商品の取引を円滑に実行することができる。また、ＰＯＳシステムは、完了ボタンを操作せずに退店した客に払い出される釣銭を他の客が受け取ってしまうことを防ぐことができる。また、客は、店員を呼び出す必要がない。
【００７０】
以上、この発明の実施形態について図面を参照して詳述してきたが、具体的な構成はこの実施形態に限られるものではなく、この発明の要旨を逸脱しない範囲の設計等も含まれる。
【００７１】
なお、上記に説明したＰＯＳシステム及び会計装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００７２】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００７４】
１０…ストアコントローラ、１１…ＬＡＮ、２０…印刷用ＰＯＳレジスタ、３０…会計用ＰＯＳレジスタ、４０…精算用レシート、２０１…ＣＰＵ、２０２…ＲＯＭ、２０３…ＲＡＭ、２０４…スキャナ部、２０５…表示部（店員用）、２０５ａ…表示部（客用）、２０６…操作部、２０７…通信部、２０８…ブザー、２０９…レシート印刷手段、２１０…ハードディスク、３０１…ＣＰＵ、３０２…ＲＯＭ、３０３…ＲＡＭ、３０４…スキャナ部、３０５…表示部、３０６…操作部、３０７…通信部、３０８…ブザー、３０９…印刷部、３１０…決済端末、３１１…決済端末、３１２…決済端末、３１３…サインポール
【図１】
2014106771.tif 000003
【図２】
2014106771.tif 000004
【図３】
2014106771.tif 000005
【図４】
2014106771.tif 000006
【図５】
2014106771.tif 000007
【図６】
2014106771.tif 000008
【図７】
2014106771.tif 000009
【図８】
2014106771.tif 000010